(57)【要約】【課題】設置高さが変更でき、または／かつ取り外し可能なドアモニターおよび容易に設置できる訪問者記録装置を提供することを課題とする。【解決手段】ドア内側、ドア付近または室内に敷かれた上下方向のレール３の上をモニター本体１が移動することにより、だれにでも見やすい高さで画面１０を確認でき、または／かつモニター本体１を取り外すことにより、撮影した画像を持ち運ぶ。また、扉１２に既設のドアスコープ穴に、センサー６やマイク７、ライト８を内蔵する訪問者記録装置であるドアスコープ４を設置する。【選択図】図１
2005307735.tif 000002
【特許請求の範囲】
【請求項１】
訪問者記録装置と、訪問者記録装置によって記録された訪問者の情報を確認するモニター本体とで構成されるドアモニターにおいて、ドア内側、ドア付近または室内に敷かれた上下方向のレールの上をモニター本体が移動し、または／かつモニター本体をレールから取り外すことを特徴とするドアモニター。
【請求項２】
訪問者を感知するセンサーをドアスコープ内部に設置し、センサーが訪問者を感知すると、ドア内側に設置されたカメラがドアスコープ越しに自動的に訪問者を撮影することを特徴とする請求項１に記載の訪問者記録装置。
【請求項３】
ドアスコープ内部にマイクまたは／かつライトを設置し、センサーが訪問者を感知すると、自動的に録音または／かつ照射することを特徴とする請求項１または請求項２に記載の訪問者記録装置。
【発明の詳細な説明】
【技術分野】
【０００１】
本発明は、訪問者の映像を映し出すモニター本体および訪問者の情報を自動的に記録するための訪問者記録装置に関する。
【背景技術】
【０００２】
従来ドアモニターは設置場所に固定されているものや、または、訪問者感知用のセンサーおよびカメラを屋外に設置する技術が開示されている。実用新案登録第３０１９２３８号公報では、ドアにＣＣＤカメラを組み込み、ドアの室内側に設けた液晶ディスプレイに来訪者を映し出すドアモニターの技術が開示されている。
【特許文献１】実用新案登録第３０１９２３８号公報
【発明の開示】
【発明が解決しようとする課題】
【０００３】
従来のドアモニターは、設置場所に固定されているため、背の低い子供や車椅子使用者等には確認が困難であり、また、設置場所でなければ訪問者を確認することができないという問題点がある。さらに、訪問者感知用のセンサーおよびカメラを屋外に設置するには配線等の工事が必要となり、実情として後から設置することは困難であるという問題点がある。
【０００４】
本発明では、以上の問題点を解決するために、設置高さが変更でき、または／かつ取り外し持ち運ぶことが可能なモニターおよび容易に設置できる訪問者記録装置から構成されるドアモニターを提供することを課題とする。
【課題を解決するための手段】
【０００５】
上記課題を解決するために、請求項１の発明は、訪問者記録装置によって記録された訪問者の情報をモニター本体で確認するドアモニターにおいて、ドア内側、ドア付近または室内に敷かれた上下方向のレールの上をモニター本体が移動し、または／かつモニター本体をレールから取り外すことを特徴とするドアモニター。
【０００６】
請求項２の発明は、ドアスコープに内蔵されたセンサーが訪問者を感知すると、ドア内側に設置されたカメラがドアスコープを通し自動的に訪問者を撮影し、ドア内側、ドア付近または室内に設置されたモニターに映像を映し出すことを特徴とする請求項１に記載の訪問者記録装置である。
【０００７】
請求項３の発明は、訪問者を感知するとドアスコープに内蔵されたマイクまたは／かつライトが作動し、自動的に録音または／かつ照射することを特徴とする請求項１または請求項２に記載の訪問者記録装置である。
【発明の効果】
【０００８】
請求項１の発明によれば、モニター本体の設置の高さを変更することができ、だれにでも見やすい高さで映像を確認することができる。また、取り外したモニターを室内に持ち込んでそのまま映像を確認することができ、不審者等の記録をそのまま証拠として提出できる。
【０００９】
請求項２の発明によれば、センサーおよびカメラを室外に設置する必要がないため大規模な工事が不要となり、後からでも容易に訪問者記録装置を設置することができる。
【００１０】
請求項３の発明によれば、録音又は／かつ照射することにより、音声等の記録又は／かつ鮮明な映像を残すことができ、またマイクまたは／かつライトが、ドアスコープに内蔵されているため、大規模な設置のための工事が不要である。
【発明を実施するための最良の形態】
【００１１】
本発明の実施形態について、玄関ドアにモニター本体を設置した場合を例に説明する。図１はドアモニターを玄関ドアに設置したときの正面図で、図２、図３、図４はそれぞれドアモニターの断面図である。
【００１２】
ドアモニターは、玄関ドアに既設されるドアスコープ穴に、訪問者記録装置であるドアスコープ４を設置し、ドアスコープ４の室内側に取付けたカメラ９で、ドアスコープ４越しに室外を撮影する。モニター本体１は、カメラ９から配線５を通して、モニター本体１表面に設置する画面１０に映し出して、確認する装置である。
【００１３】
モニター本体１は、玄関ドア上に上下方向に設置するレール３の上を、移動する手段を持つ台座２に、モニター本体１の裏面に一つあるいは複数個形成されるフック１４を、台座２に一つあるいは、複数個形成される引掛部１３に、引掛けることにより着脱自在に設置される。モニター本体１を低い位置で確認する場合には、レール３の上を、モニター本体１を台座２に設置した状態で、下に滑らせて移動させる他に、台座２からモニター本体１を取り外して、確認することができる。
【００１４】
図４の断面図に示すように、レール３は、凹形状で、レール３の設置背面３ｂを玄関ドアに設置することにより、玄関ドアに固定される。レールの設置背面３ｂには、カメラ９を避けるように穴が形成されており、カメラ９を左右方向の中心軸として設置される。台座２は板状で、レール３の内側に形成される滑り止め３ａに、題材背面に形成される移動手段を具備した二つの脚２ａで受けて設置され、上下方向に移動する。
【００１５】
また台座２は、図４に示すようにレール３に形成される連続した山谷形状の滑り止め３ａ上、または／かつ滑り止め３ａに接する二つの脚２ａ面上に移動手段を設置する。移動手段は限定されるものではなく、滑車を設置する、もしくは、弁状の突起を形成するなどでもよい。
【００１６】
ドアスコープ４は、図５に示すように室外露出部分４ｃと、筒状部分４ｄ、ねじ山部分４ｂ、留め具４ａから構成される。図６に示すように、室外側露出部分４ｃには、センサー６と、マイク７、ライト８を内蔵しており、筒状部分４ｄには、図７の断面図に示すように上下に、配線５を通すのに適当な大きさの通路がひとつまたは複数個形成される。
【００１７】
ドアスコープ４は、筒状部分４ｄを玄関ドアに既設されるドアスコープ穴に差し込んで、室内側から、ドアスコープ留め具４ａをドアスコープねじ山部分４ｂにはめて、玄関ドア１２を挟みこむようにして、締めることで固定される。
【００１８】
ドアスコープ４のセンサー６は、訪問者を感知すると、自動的に訪問者の音声をマイク７で録音し、ライト８でフラッシュを発して、カメラ９がドアスコープ越しに訪問者を撮影する。撮影された映像は、ドアスコープ４の筒状の部分に内蔵した配線５を通して、レール３上を伝い、ドアモニター本体に伝達される。
【００１９】
モニター本体１の表面は、図８に示すように、画面１０が適当な大きさで適当な位置に設置され、スピーカー１５も適当な大きさで適当な位置に設置される。この画面１０とスピーカー１５から記録した映像と音声を確認することができる。モニター本体１の裏面は図９に示すように、フック１３が一つまたは複数個、適当な場所に形成されており、充電コネクタ１１が設置されている。モニター本体１を設置する台座２は、図１０に示すように、引掛部１４が一つまたは複数個、適当な場所に形成され、モニター本体１を台座２に重ねるようにして設置するとモニター本体１の充電コネクタ１１と台座２の充電コネクタ１１´が接するように同じ位置に設置する。
【００２０】
モニターの本体の設置場所は、本実施形態の玄関ドアに限定されず、ドア内側、ドア付近または室内であってもよい。
【図面の簡単な説明】
【００２１】
【図１】ドアモニターの実施形態を表す展開図である。
【図２】モニター本体を台座に設置した状態を表すＡ−Ａ´断面図である。
【図３】モニター本体を台座から取り外した状態を表すＡ−Ａ´断面図である。
【図４】ドアモニターの実施形態を表す平面図である。
【図５】ドアスコープの構成を表す斜視図である。
【図６】ドアスコープをドアに設置した状態を表す断面図である。
【図７】ドアスコープを表すＢ−Ｂ´断面図である。
【図８】モニター本体の正面図である。
【図９】モニター本体の裏面図である。
【図１０】モニター本体を台座から取り外した状態の台座の正面図である。
【符号の説明】
【００２２】
１  モニター本体
２  台座
２ａ  台座脚
３  レール
３ａ  レール滑り止部
３ｂ  レール取付座
４  ドアスコープ
４ａ  ドアスコープ留め具
４ｂ  ドアスコープねじ山
４ｃ  ドアスコープ室外側露出部分
４ｄ  ドアスコープ筒状部分
５  配線
６  センサー
７  マイク
８  ライト
９  カメラ
１０  画面
１１  充電コネクタ（モニター本体設置）
１１´充電コネクタ（台座設置）
１２  扉
１３  フック
１４  掛部
１５  スピーカー
【図１】
2005307735.tif 000003
【図２】
2005307735.tif 000004
【図３】
2005307735.tif 000005
【図４】
2005307735.tif 000006
【図５】
2005307735.tif 000007
【図６】
2005307735.tif 000008
【図７】
2005307735.tif 000009
【図８】
2005307735.tif 000010
【図９】
2005307735.tif 000011
【図１０】
2005307735.tif 000012